(57)【要約】【課題】空調制御の性能検証や電力，水道，ガスなどの使用量の調査など、設備における確認事項毎のデータ収集対象ポイントの登録作業を簡単に行えるようにする。【解決手段】ＣＰＵ５−１は、設備における系統（ビルの階数、テナントなど）、確認項目（空調制御の性能検証、電力，水道，ガスの使用量の確認など）および詳細事項（温度制御方式、湿度制御方式、バルブ動作など）が指定されると、メモリ５−１１内に記憶されているデータ収集対象ポイントの中から関連するデータ収集対象ポイントを自動的に取り出し、この取り出したデータ収集対象ポイントをリストアップする。【選択図】        図１
2004213336.tif 000002
【特許請求の範囲】
【請求項１】
設備における各種のデータ収集対象ポイントを記憶するデータ収集対象ポイント記憶手段と、
データ収集対象ポイントの属性の指定に応じ、前記データ収集対象ポイント記憶手段が記憶しているデータ収集対象ポイントの中から関連するデータ収集対象ポイントを取り出し、この取り出したデータ収集対象ポイントをリストアップする手段と
を備えたことを特徴とするデータ収集装置。
【請求項２】
設備における各種のデータ収集対象ポイントを記憶するデータ収集対象ポイント記憶手段と、
データ収集対象ポイントの属性の指定に応じ、前記データ収集対象ポイント記憶手段が記憶しているデータ収集対象ポイントの中から関連するデータ収集対象ポイントを取り出し、この取り出したデータ収集対象ポイントをまとめた系統ファイルを作成する系統ファイル作成手段と、
この系統ファイル作成手段により作成された系統ファイルを必要に応じて表示する系統ファイル表示手段と、
この系統ファイル表示手段が表示する系統ファイルより所望の系統ファイルを選択しての指定操作に応じ、その選択指定された系統ファイル内のデータ収集対象ポイントをリストアップする手段と
を備えたことを特徴とするデータ収集装置。
【発明の詳細な説明】
【０００１】
【発明の属する技術分野】
この発明は、建物や産業システムなどの大規模設備の性能検証を行うためのデータ収集に用いて好適なデータ収集装置に関するものである。
【０００２】
【従来の技術】
従来より、建物や産業システムなどの大規模設備においては、その設備を顧客に引き渡す前に設計どおりの性能を発揮できるか否かの検証を行っている。また、その設備を顧客に引き渡した後においても、運用を含めて設計どおりの性能を発揮できているか否かの検証を行っている。この大規模設備の性能検証およびその性能検証を行うためのデータ収集にはパーソナルコンピュータ（以下、パソコンという）を用いている。
【０００３】
〔監視システム〕
図９は大規模設備に設けられる監視システムの概略を示す図である。なお、この例では、大規模設備としてＮ階建てのビルを想定している。同図において、１−１〜１−ｍはビルの各所に分散して設けられたコントローラ、ＰＡ，ＰＢはビル内のデータ収集対象ポイント、２はビル内に構築されたＬＡＮ（ローカルエリアネットワーク）、３はビルの監視室に設けられた中央監視装置である。コントローラ１−１〜１−ｍと中央監視装置３とはＬＡＮ２を介して相互に接続されている。
【０００４】
コントローラ１−１〜１−ｍは、データ収集対象ポイントＰＡからのデータを所定周期で取り込み、最新のデータを４８時間分蓄える。中央監視装置３は、コントローラ１−１〜１−ｍが蓄えている４８時間分のデータ（４８時間データ）のうち最新の２４時間分のデータ（２４時間データ）を毎日定時にまとめて取り込む。以下、データ収集対象ポイントＰＡを定時データ収集対象ポイントと呼ぶ。
【０００５】
ビル内には中央監視装置３に２４時間データとして毎日定時に取り込まれないが、必要が生じたときにコントローラ１−１〜１−ｍを介してデータが収集されるデータ収集対象ポイントＰＢもある。以下、データ収集対象ポイントＰＢを非定時データ収集対象ポイントと呼ぶ。コントローラ１−１〜１−ｍは、定時データ収集対象ポイントＰＡや非定時データ収集対象ポイントＰＢからのデータが緊急性を要するデータ（例えば、アラームデータ）であれば、直ちにそのデータを中央監視装置３へ送る。
【０００６】
〔パソコンを利用した性能検証システム〕
図１０は上述した監視システムの仕組みを利用した性能検証支援システムの概略を示す図である。このシステムでは、ＬＡＮ２にパソコン４を接続し、定時データ収集対象ポイントＰＡや非定時データ収集対象ポイントＰＢからのデータをコントローラ１−１〜１−ｍを介して収集するようにしている。なお、定時データ収集対象ポイントＰＡについては、毎日定時にその２４時間データをコントローラ１−１〜１−ｍを介して取り込み、非定時データ収集対象ポイントＰＢについては、例えば１分周期でそのデータをコントローラ１−１〜１−ｍを介して取り込む。
【０００７】
ビル内において、定時データ収集対象ポイントＰＡや非定時データ収集対象ポイントＰＢの数は数万ポイントとなる。従来においては、手作業で、数万ポイントのデータ収集対象ポイントの中から性能検証に必要なデータ収集対象ポイントを選び、登録を行っている。
【０００８】
例えば、分かり易い例として、１階〜Ｎ階の空調制御の性能検証（制御性の検証）を行う場合について説明する。この場合、１階の空調制御について、その性能検証を行うために必要な定時データ収集対象ポイントＰＡおよび非定時データ収集対象ポイントＰＢを手作業で１つずつリストアップし、パソコン４に登録する。同様にして、２階の空調制御について、その性能検証を行うために必要な定時データ収集対象ポイントＰＡおよび非定時データ収集対象ポイントＰＢを手作業で１つずつリストアップし、パソコン４に登録する。以下、同様にして、Ｎ階の空調制御まで、その性能検証を行うために必要なデータ収集対象ポイントを手作業で１つずつリストアップし、パソコン４に登録して行く。
【０００９】
なお、上述した従来技術は、出願人が出願時点で知る限りにおいて文献公知ではない。また、出願人は出願時までに本発明に関連する先行技術文献を発見することはできなかった。よって、先行技術文献情報を開示していない。
【００１０】
【発明が解決しようとする課題】
しかしながら、上述した従来のパソコンを利用した性能検証システムでは、性能検証に必要なデータ収集対象ポイントを手作業で１つずつリストアップし、パソコン４に登録して行くようにしているため、性能検証項目毎のデータ収集対象ポイントの登録作業に多大な時間がかかるという問題があった。
【００１１】
なお、上述においては、１〜Ｎ階の空調制御の性能検証を行う場合を例にとって説明したが、テナント毎に電力の使用量を確認したり、水道の使用量を確認したり、ガスの使用量を確認したりするような場合にも同様にして、そのデータ収集対象ポイントの登録作業を１つずつ手作業で行っており、同様の問題が生じている。
【００１２】
本発明はこのような課題を解決するためになされたもので、その目的とするところは、空調制御の性能検証や電力，水道，ガスなどの使用量の確認など、設備における確認事項毎のデータ収集対象ポイントの登録作業を簡単に行うことのできるデータ収集装置を提供することにある。
【００１３】
【課題を解決するための手段】
このような目的を達成するために、第１発明（請求項１に係る発明）は、設備における各種のデータ収集対象ポイントを記憶するデータ収集対象ポイント記憶手段と、データ収集対象ポイントの属性の指定に応じ、データ収集対象ポイント記憶手段が記憶しているデータ収集対象ポイントの中から関連するデータ収集対象ポイントを取り出し、この取り出したデータ収集対象ポイントをリストアップする手段とを設けたものである。
【００１４】
ここで、データ収集対象ポイントの属性とは、例えば設備における系統（ビルの階数、テナントなど）、確認項目（空調制御の性能検証、電力，水道，ガスの使用量の確認など）および詳細事項（温度制御方式、湿度制御方式、バルブ動作など）等が挙げられる。本発明において、データを収集すべきデータ収集対象ポイントの属性を指定すると、データ収集対象ポイント記憶手段が記憶しているデータ収集対象ポイントの中から関連するデータ収集対象ポイントが自動的に取り出され、この取り出されたデータ収集対象ポイントがリストアップされる。
【００１５】
例えば、「系統」として「１階」を指定し、「確認項目」として「空調制御の性能検証」を指定し、詳細事項として「温度制御方式、湿度制御方式、バルブ動作など」を指定すると、関連するデータ収集対象ポイントが自動的に取り出され、１階の空調制御のデータ収集対象ポイントとしてリストアップされる。次に、「系統」として「２階」を指定し、「確認項目」として「空調制御の性能検証」を指定し、詳細事項として「温度制御方式、湿度制御方式、バルブ動作など」を指定すると、記憶されているデータ収集対象ポイントの中から関連するデータ収集対象ポイントが自動的に取り出され、２階の空調制御のデータ収集対象ポイントとしてリストアップされる。以下、同様にして、次々に所望の階の空調制御のデータ収集対象ポイントをリストアップして行くことができる。データ収集装置は、このようにしてリストアップされたデータ収集対象ポイントについて、指定された期間にデータ収集を実行する。
【００１６】
第２発明（請求項２に係る発明）は、設備における各種のデータ収集対象ポイントを記憶するデータ収集対象ポイント記憶手段と、設備における系統、確認項目および詳細事項の指定に応じ、データ収集対象ポイント記憶手段が記憶しているデータ収集対象ポイントの中から関連するデータ収集対象ポイントを取り出し、この取り出したデータ収集対象ポイントをまとめた系統ファイルを作成する系統ファイル作成手段と、この系統ファイル作成手段により作成された系統ファイルを必要に応じて表示する系統ファイル表示手段と、この系統ファイル表示手段が表示する系統ファイルより所望の系統ファイルを選択しての指定操作に応じ、その選択指定された系統ファイル内のデータ収集対象ポイントをリストアップする手段とを設けたものである。
【００１７】
この発明において、データを収集すべきデータ収集対象ポイントの属性を指定すると、記憶されているデータ収集対象ポイントの中から関連するデータ収集対象ポイントが自動的に取り出され、この取り出されたデータ収集対象ポイントをまとめた系統ファイルが作成される。
【００１８】
例えば、「系統」として「１階」を指定し、「確認項目」として「空調制御の性能検証」を指定し、詳細事項として「温度制御方式、湿度制御方式、バルブ動作など」を指定すると、関連するデータ収集対象ポイントが自動的に取り出され、この取り出されたデータ収集対象ポイントをまとめた１階の空調系統ファイルが作成される。以下、同様にして、系統，確認項目，詳細事項を指定して行くことにより、２階〜Ｎ階の空調系統ファイルが作成される。
【００１９】
この１階〜Ｎ階の空調系統ファイルは必要に応じて表示させることができる。すなわち、１階〜Ｎ階の空調系統ファイルを前もって作成しておき、必要な時に表示させることができる。表示された１階〜Ｎ階の空調系統ファイルから、所望の系統ファイルとして例えば１〜３階の空調系統ファイルを選択し、指定操作を行うと、その選択指定された１〜３階の空調系統ファイル内のデータ収集対象ポイントがリストアップされる。データ収集装置は、このようにしてリストアップされたデータ収集対象ポイントについて、指定された期間にデータ収集を実行する。
【００２０】
【発明の実施の形態】
以下、本発明を図面に基づいて詳細に説明する。図１はこの発明に係るデータ収集装置の一実施の形態の要部構成を示すブロック図である。このデータ収集装置５は、図１０に示した性能検証システムにおけるパソコン４にソフトウェア（データ収集設定ツール）をインストールすることによって新たなる機能を追加したものであり、このデータ収集装置５を利用した性能検証システムのシステム構成は図２に示すように従来の性能検証システムと変わることはない。なお、この性能検証システムにおいても、大規模設備としてＮ階建てのビルを想定している。
【００２１】
図１において、５−１はＣＰＵ、５−２はＲＡＭ、５−３はＲＯＭ、５−４〜５−６はインターフェイス、５−７はディスプレイ、５−８はキーボード、５−９はマウス、５−１０は収集データ記憶用のメモリ、５−１１はデータ収集対象ポイント記憶用のメモリである。ＣＰＵ５−１は、インターフェイス５−４〜５−６を介して与えられる各種入力情報を得て、ＲＡＭ５−２にアクセスしながら、ＲＯＭ５−３に格納されたプログラムに従って動作する。ＣＰＵ５−１での各種処理情報は、インターフェイス５−４〜５−６を介して出力される。
【００２２】
本実施の形態において、ＲＯＭ５−３にはデータ収集設定ツール（データ収集設定プログラムやデータ収集プログラム）が格納されており、データ収集設定プログラムに従って後述する収集パターンの登録が行われ、データ収集プログラムに従って収集されたデータがメモリ５−１０に蓄積されて行く。データ収集設定ツールは、例えばＣＤ−ＲＯＭなどの記録媒体に記録された状態で提供され、この記録媒体から読み出されてＲＯＭ５−３にインストールされている。
【００２３】
また、メモリ５−１１には、ビル内の各種のデータ収集対象ポイントとして定時データ収集対象ポイントＰＡや非定時データ収集対象ポイントＰＢが記憶されている。厳密に言うと、定時データ収集対象ポイントＰＡや非定時データ収集対象ポイントＰＢのアドレスやタイプ（定時データ収集対象ポイントであるのか、非定時データ収集対象ポイントであるのかを識別するための識別子）などが記憶されている。
【００２４】
〔実施の形態１〕
図３はデータ収集設定プログラムに従うＣＰＵ５−１の処理動作（収集パターンの登録動作）を説明するためのフローチャートである。
この実施の形態１では、データを収集すべきデータ収集対象ポイントの属性、例えば系統や性能検証項目、詳細事項をその都度入力し、その入力した属性によって特定されるデータ収集対象ポイントをデータ収集対象リストにリストアップして行く。
【００２５】
なお、系統とは、建物やプラント等において、データ収集対象ポイントを例えば空調や照明といったサービス設備毎、またはフロアなどの物理的空間的条件により分類したものを意味する。性能検証項目とは、収集すべきデータの性質を表し、例えば空調制御の性能検証、電力，水道，ガスの使用量の確認などが挙げられる。詳細事項とは、上記系統によって定まるデータ収集対象ポイントや上記性能検証項目により定まるデータの性質をより詳細に示す事項であり、例えば温度制御方式、湿度制御方式、バルブ動作などが挙げられる。この実施の形態ではビルの階数によりビル内を１階〜Ｎ階の系統に分けている。また、収集パターンとは、データ収集装置５が１回のデータ収集期間において収集することの可能なデータ収集対象ポイントをまとめたものである。この収集パターンは後述する収集スケジュールの登録に際して用いられる。
【００２６】
〔収集パターンの登録〕
検査員は、データ収集装置５のディスプレイ５−７に表示される画面（図示せず）において、これからデータ収集対象ポイントを登録しようとする収集パターンのパターンナンバを入力する（ステップ３０１）。この例では、パターンナンバとして▲１▼を入力し、登録対象の収集パターンを収集パターン▲１▼とする。
【００２７】
そして、検査員は、この収集パターン▲１▼に対して、系統および性能検証項目を選択指定する（ステップ３０２、３０３）。例えば、系統として「ビルの１階」を選択指定し、性能検証項目として「空調制御の性能検証」を選択指定する。すると、ＣＰＵ５−１は、システム内に分散配置されているコントローラ１−１〜１−ｍの中から１階に設置されている空調制御に関連するコントローラをピックアップする（ステップ３０４）。また、ＣＰＵ５−１は、ディスプレイ５−７に詳細事項の選択画面を表示する（ステップ３０５）。
【００２８】
次に、検査員は、ディスプレイ５−７に表示される詳細事項の選択画面において、１階の空調制御についての詳細事項を選択指定して行く（ステップ３０６）。例えば、温度制御方式、湿度制御方式、バルブ動作などを選択指定して行く。
【００２９】
この詳細事項の選択指定後、画面上で確定すると（ステップ３０７）、ＣＰＵ５−１は、ステップ３０４でピックアップしたコントローラの配下のデータ収集対象ポイントの中からステップ３０６で選択指定された詳細事項によって特定されるデータ収集対象ポイントを取り出し（ステップ３０８）、即ち１階の空調制御の性能検証に必要なデータ収集対象ポイントをメモリ５−１１から取り出し、収集パターン▲１▼用のデータ収集対象リストにリストアップする（ステップ３０９）。
【００３０】
以下、同様にして、ステップ３０２，３０３において系統および性能検証項目の選択指定を変えて、ステップ３０４以降の動作を繰り返すことにより、２階の空調制御の性能検証に必要なデータ収集対象ポイント、３階の空調制御の性能検証に必要なデータ収集対象ポイントというように、取り出されたデータ収集対象ポイントが収集パターン▲１▼用のデータ収集対象リストにリストアップされて行く。
【００３１】
収集パターン▲１▼用のデータ収集対象リストの作成を終えれば（ステップ３１０のＹＥＳ）、ステップ３０１において収集パターンを▲２▼とし、ステップ３０２以降の動作を繰り返すことにより、収集パターン▲１▼と同様にして収集パターン▲２▼用のデータ収集対象リストを作成することができる。以下同様にして、収集パターン▲３▼，▲４▼，▲５▼というように、収集パターン毎のデータ収集対象リストを作成してゆく。
【００３２】
〔収集スケジュールの登録〕
検査員は、収集パターンの登録を終えると、登録した各収集パターンに対してデータ収集期間の設定（収集スケジュールの登録）を行う。例えば、収集パターン▲１▼，▲２▼，▲３▼，▲４▼，▲５▼の順で、相互に重ならないようにデータ収集期間（開始時刻、終了時刻）を設定・登録する。これにより、ＣＰＵ５−１は、データ収集期間が登録された収集パターンの各々について、登録されているデータ収集期間に入る毎に、そのデータ収集期間内の登録されているデータ収集対象ポイントのデータの収集を自動的に開始する。
【００３３】
〔実施の形態２〕
図４はデータ収集設定プログラムに従うＣＰＵ５−１の処理動作（系統ファイルの作成動作）を説明するためのフローチャートである。
この実施の形態２では、系統や性能検証項目、詳細事項を選択指定し、これによって特定されるデータ収集対象ポイントをまとめた系統ファイルを作成した後、必要なときに、所望の系統ファイルを選択することにより、性能検証に必要なデータ収集対象ポイントをデータ収集対象リストにリストアップして行く。
【００３４】
実施の形態１では、系統や性能検証項目、詳細事項の選択指定をその都度行わなければならなかったが、実施の形態２では、一度系統ファイルを作成すると、次からは系統や性能検証項目、詳細事項の選択指定を行わなくてもよいので、登録作業を簡単に行うことができる。
【００３５】
〔系統ファイルの作成〕
検査員は、データ収集装置５のディスプレイ５−７に表示される画面（図示せず）において、系統および性能検証項目を選択指定する（ステップ４０１、４０２）。例えば、系統として「ビルの１階」を選択指定し、性能検証項目として「空調制御の性能検証」を選択指定する。
【００３６】
すると、ＣＰＵ５−１は、システム内に分散配置されているコントローラ１−１〜１−ｍの中から１階に設置されている空調制御に関連するコントローラをピックアップする（ステップ４０３）。また、ＣＰＵ５−１は、ディスプレイ５−７に詳細事項の選択画面を表示する（ステップ４０４）。
【００３７】
次に、検査員は、ディスプレイ５−７に表示される詳細事項の選択画面において、１階の空調制御についての詳細事項を選択指定して行く（ステップ４０５）。例えば、温度制御方式、湿度制御方式、バルブ動作などを選択指定して行く。
【００３８】
この詳細事項の選択指定後、画面上で確定すると（ステップ４０６）、ＣＰＵ５−１は、ステップ４０３でピックアップしたコントローラの配下のデータ収集対象ポイントの中からステップ４０５で選択指定された詳細事項によって特定されるデータ収集対象ポイントを取り出し（ステップ４０７）、すなわち１階の空調制御の性能検証に必要なデータ収集対象ポイントをメモリ５−１１から取り出し、この取り出したデータ収集対象ポイントをまとめたファイルを作成し、これを１階の空調系統ファイルとしてメモリ５−１１に記憶させる（ステップ４０８）。
【００３９】
以下、同様にして、ステップ４０１，４０２において系統および性能検証項目の選択指定を変えて、ステップ４０３以降の動作を繰り返すことにより、２階の空調制御に関連するデータ収集対象ポイント、３階の空調制御に関連するデータ収集対象ポイントというようにデータ収集対象ポイントを取り出し、この取り出したデータ収集対象ポイントをまとめたファイルを作成し、これを２階の空調系統ファイル，３階の空調系統ファイルというようにメモリ５−１１に記憶させて行く。
【００４０】
なお、この例では、性能検証項目を空調制御の性能検証としたが、熱源制御などについても、その性能検証に必要なデータ収集対象ポイントをまとめたファイルを作成し、これを熱源系統ファイルとしてメモリ５−１１に記憶させてもよい。また、空調制御や熱源制御など各種制御の性能検証に必要な共通のデータ収集対象ポイントをまとめ、共通ファイル（共通情報）としてメモリ５−１１に記憶させてもよい。
【００４１】
〔収集パターンの登録〕
検査員は、収集パターンの登録を行いたい場合、図５に示すようなデータ収集設定画面Ｇ１をディスプレイ５−７に表示させる。このデータ収集設定画面Ｇ１には、収集パターン登録シートＳ１と収集スケジュール登録シートＳ２とが選択可能に表示される。図は収集パターン登録シートＳ１を選択した状態を示している。収集パターン登録シートＳ１は収集パターンの登録（データ収集対象リストの作成）に際して用いる。収集スケジュール登録シートＳ２は、登録した収集パターンに対するデータ収集期間の設定・登録に際して用いる。
【００４２】
収集パターン登録シートＳ１には系統ファイル表示ウインドウＳ１ａと幹線ファイル表示ウインドウＳ１ｂとが選択可能に表示される。系統ファイル表示ウインドウＳ１ａには、前もって作成されているメモリ５−１１内の系統ファイル、すなわち図４に示したフローチャートに従って作成された系統ファイルがツリービュー形式で表示される。幹線ファイル表示ウインドウＳ１ｂにはメモリ５−１１内の幹線ファイルがツリービュー形式で表示される。図は系統ファイル表示ウインドウＳ１ａを選択した状態を示している。
【００４３】
なお、幹線とは、データ収集に係わる装置に着目した分類を意味する。この実施の形態において、メモリ５−１１には、例えばコントローラ１−１〜１−ｍの配下のデータ収集対象ポイントＰＡ，ＰＢを各コントローラ毎にまとめ、第１〜第ｍの幹線ファイルとしてメモリ５−１１に記憶させている。なお、図２には示していないが、実際には、コントローラ１−１〜１−ｍの下位にはさらにサブコントローラがあり、これらサブコントローラの配下のデータ収集対象ポイントＰＡ，ＰＢを各サブコントローラ毎にまとめ、幹線ファイルを作成している。
【００４４】
また、収集パターン登録シートＳ１には、収集パターンのパターンナンバの選択部（パターンナンバ選択部）Ｓ１ｃと、非定時データ収集ポイントのデータ収集周期の選択部（ＤＤＣ収集周期選択部）Ｓ１ｄと、収集系統表示エリアＳ１ｅと、データ収集対象リストＬＳＴ１を表示するリスト表示部Ｓ１ｆと、リスト表示部Ｓ１ｆに表示されるデータ収集対象リストＬＳＴ１に含まれる定時データ収集対象ポイントの総数（定時データの総数）および非定時データ収集対象ポイントの総数（ＤＤＣデータの総数）を表示するデータ数表示部Ｓ１ｇと、図面表示ボタンＢＴ１と、ファイル出力ボタンＢＴ２と、保存ボタンＢＴ３とが表示される。
【００４５】
以下、１階〜Ｎ階の空調制御の性能検証を行いたい場合を例にとって、データ収集装置５において行われる収集パターンの登録、収集スケジュールの登録および登録された収集スケジュールに従うデータ収集動作について説明する。
【００４６】
例えば、１階〜Ｎ階の空調制御の性能検証を行いたい場合、検査員は、先ず収集パターンの登録を行う。この場合、検査員は、ディスプレイ５−７に図５に示したデータ収集設定画面Ｇ１を表示させる。
【００４７】
そして、検査員は、系統ファイル表示ウインドウＳ１ａにツリービュー形式で表示される最上位の系統ファイルＴＦを展開し、空調系統ファイルＡＦと熱源系統ファイルＮＦと共通ファイルＣＦとを表示させ、さらに空調系統ファイルＡＦを展開し、１階の空調系統ファイルＡＦ１〜Ｎ階の空調系統ファイルＡＦｎを出現させる。
【００４８】
そして、検査員は、系統ファイル表示ウインドウＳ１ａに表示されている共通ファイルＣＦをマウス操作により選択し、ドラック＆ドロップ操作によって収集系統表示エリアＳ１ｅに設定する。同様にして、１階の空調系統ファイルＡＦ１、２階の空調系統ファイルＡＦ２というように、Ｎ階の空調系統ファイルＡＦｎまで、ドラック＆ドロップ操作によって収集系統表示エリアＳ１ｅに設定する。
【００４９】
〔収集パターン▲１▼〕
次に、検査員は、パターンナンバ選択部Ｓ１ｃにおいて番号を「１」とし、これから登録しようとする収集パターンをパターンナンバ▲１▼（収集パターン▲１▼）とする。また、ＤＤＣ収集周期選択部Ｓ１ｄでの選択数値を例えば「１」とし、収集パターン▲１▼における非定時データ収集ポイントのデータ収集周期を１分とする。
【００５０】
そして、検査員は、収集系統表示エリアＳ１ｅにおいて、収集パターン▲１▼に含めたいファイルを選択する。図５には、共通ファイルＣＦと空調系統ファイルＡＦ１〜ＡＦ４を選択した状態を示している。ＣＰＵ５−１は選択されたファイルの名称を反転表示する。
【００５１】
また、ＣＰＵ５−１は、収集系統表示エリアＳ１ｅにおいてファイルが選択されると、その選択されたファイルに含まれるデータ収集対象ポイントＰＡ，ＰＢの「系統」，「タイプ」，「ポイント名称」，「登録ユーザ」を示すデータ収集対象リストＬＳＴ１をリスト表示部Ｓ１ｆに表示する。
【００５２】
また、ＣＰＵ５−１は、データ収集対象リストＬＳＴ１に含まれる定時データ収集対象ポイントＰＡの総数（定時データの総数）を計算し、すなわちデータ収集対象リストＬＳＴ１に含まれる定時データ収集対象ポイントＰＡの数をカウントし、この定時データの総数をデータ数表示部Ｓ１ｇに表示する。また、データ収集対象リストＬＳＴ１に含まれる非定時データ収集対象ポイントＰＢの総数（ＤＤＣデータの総数）を計算し、すなわちデータ収集対象リストＬＳＴ１に含まれる非定時データ収集対象ポイントＰＢの数をカウントし、このＤＤＣデータの総数をデータ数表示部Ｓ１ｇに表示する。この例では、定時データの総数が「４５０」、ＤＤＣデータの総数が「５１５」と算出され、データ数表示部Ｓ１ｇに表示されている。
【００５３】
この定時データの総数およびＤＤＣデータの総数の計算に際し、ＣＰＵ５−１は、定時データの総数と予め定められた第１の上限値（この例では、１０００個）とを比較し、定時データの総数が第１の上限値を超えた場合、データ数表示部Ｓ１ｇにおける定時データの総数の表示色を赤とする。また、ＤＤＣデータの総数と予め定められた第２の上限値（この例では、５００個）とを比較し、ＤＤＣデータの総数が第２の上限値を超えた場合、データ数表示部Ｓ１ｇにおけるＤＤＣデータの総数の表示色を赤とする。この例において、計算された定時データの総数は「４５０」、ＤＤＣデータの総数は「５１５」であるので、ＤＤＣデータの総数が赤色で表示される。なお、定時データの総数およびＤＤＣデータの総数の通常の表示色は黒とされている。
【００５４】
検査員は、ＤＤＣデータの総数が赤色で表示されたことを見て、共通ファイルＣＦと空調系統ファイルＡＦ１〜ＡＦ４の全てを収集パターン▲１▼に含ませることは無理であることを知る。この場合、収集系統表示エリアＳ１ｅにおいて、例えば４階の空調系統ファイルＡＦ４の選択を解除する。
【００５５】
この空調系統ファイルＡＦ４の選択解除により、空調系統ファイルＡＦ４に含まれる定時データ収集対象ポイントＰＡおよび非定時データ収集対象ポイントＰＢがデータ収集対象リストＬＳＴ１から削除され、データ収集対象リストＬＳＴ１に含まれる定時データ収集対象ポイントＰＡおよび非定時データ収集対象ポイントＰＢの数が減る。
【００５６】
ＣＰＵ５−１は、このデータ収集対象リストＬＳＴ１に含まれる定時データ収集対象ポイントＰＡおよび非定時データ収集対象ポイントＰＢの総数の再計算を行い、その計算結果（定時データの総数、ＤＤＣデータの総数）をデータ数表示部Ｓ１ｇに表示する。
【００５７】
この結果、データ数表示部Ｓ１ｇでの定時データの総数およびＤＤＣデータの総数が共に黒色で表示されるようになれば、すなわちＤＤＣデータの総数の表示が赤色表示から黒色表示に変われば、検査員は保存ボタンＢＴ３をクリックする。これにより、ＣＰＵ５−１は、データ収集対象リストＬＳＴ１に含まれる定時データ収集対象ポイントＰＡおよび非定時データ収集対象ポイントＰＢ、すなわち収集系統表示エリアＳ１ｅにおいて選択された共通ファイルＣＦと空調系統ファイルＡＦ１〜ＡＦ３に含まれるデータ収集対象ポイントＰＡ，ＰＢの一群を収集パターン▲１▼として登録する。このようにして収集パターン▲１▼の登録が完了する。
【００５８】
なお、ファイル出力ボタンＢＴ２をクリックすると、データ収集対象リストＬＳＴ１がＣＳＶファイル形式で出力される。また、図面表示ボタンＢＴ１をクリックすると、データ収集対象リストＬＳＴ１に含まれるデータ収集対象ポイントＰＡ，ＰＢのビル内での位置などを示す図面が表示される。
【００５９】
〔収集パターン▲２▼〕
検査員は、収集パターン▲１▼の登録を完了すると、次の収集パターンとして収集パターン▲２▼の登録を行う。この場合、検査員は、パターンナンバ選択部Ｓ１ｃにおいて番号「２」を選択し（図６参照）、これから登録しようとする収集パターンをパターンナンバ▲２▼（収集パターン▲２▼）とする。また、ＤＤＣ収集周期選択部Ｓ１ｄでの選択数値を例えば「１」とし、収集パターン▲２▼における非定時データ収集ポイントのデータ収集周期を１分とする。
【００６０】
そして、検査員は、収集系統表示エリアＳ１ｅにおいて、収集パターン▲２▼に含ませたいファイルを選択する。図６には、共通ファイルＣＦと空調系統ファイルＡＦ４〜ＡＦ６を選択した状態を示している。ＣＰＵ５−１は選択されたファイルの名称を反転表示する。
【００６１】
また、ＣＰＵ５−１は、収集系統表示エリアＳ１ｅにおいてファイルが選択されると、その選択されたファイルに含まれるデータ収集対象ポイントＰＡ，ＰＢの「系統」，「タイプ」，「ポイント名称」，「登録ユーザ」を示すデータ収集対象リストＬＳＴ１をリスト表示部Ｓ１ｆに表示する。
【００６２】
図６の例では、データ収集対象リストＬＳＴ１に含まれる定時データの総数は「１２００」、ＤＤＣデータの総数は「４８０」として計算されており、したがって定時データの総数が赤色で表示される。
【００６３】
検査員は、定時データの総数が赤色で表示されたことを見て、共通ファイルＣＦと空調系統ファイルＡＦ４〜ＡＦ６の全てを収集パターン▲２▼に含ませることは無理であることを知る。この場合、収集系統表示エリアＳ１ｅにおいて、例えば６階の空調系統ファイルＡＦ６の選択を解除する。これにより、データ数表示部Ｓ１ｇでの定時データの総数およびＤＤＣデータの総数が共に黒色で表示されるようになれば、検査員は保存ボタンＢＴ３をクリックする。このようにして収集パターン▲２▼の登録が完了する。以下、同様にして、収集パターン▲３▼，▲４▼，▲５▼と登録を進めて行く。
【００６４】
なお、上述においては、定時データの総数が第１の上限値を超えた場合やＤＤＣデータの総数が第２の上限値を超えた場合、収集系統表示エリアＳ１ｅにおいて選択されているファイルの選択を解除するようにしたが、リスト表示部Ｓ１ｆに表示されているデータ収集選択リストＬＳＴ１からあまり必要ではないと思われるデータ収集対象ポイントを削除することによって、その数を減らすようにしてもよい。データ収集対象ポイントの削除は行単位で行うことが可能である。また、上述においては、定時データの総数や非定時データの総数が上限値を超えたことをその総数の表示色を赤に変えることによって表示したが、表示色を赤色に変えると同時にブザーを鳴動させるようにしてもよい。
【００６５】
〔データ収集対象ポイントの追加〕
この実施の形態２では、幹線ファイル表示ウインドウＳ１ｂを利用することによって、データ収集対象リストＬＳＴ１に対して所望のデータ収集対象ポイントを追加することが可能である。例えば、次のようにして、所望のデータ収集対象ポイントを追加する。
【００６６】
図７に示すように、系統ファイル表示ウインドウＳ１ａに変えて、幹線ファイル表示ウインドウＳ１ｂを表示させる。幹線ファイル表示ウインドウＳ１ｂにはツリービュー形式で幹線ファイルが表示される。最上位の幹線ファイルＴＦＣを展開し、コントローラ１−１〜１−ｍに対応する幹線ファイルＦＣ１〜ＦＣｍを表示させ、さらに幹線ファイルＦＣ３を展開し、幹線ファイルＦＣ３内のサブコントローラに対応する幹線ファイルＦＣ３１  〜ＦＣ３６  を出現させる。
【００６７】
ここで、例えば幹線ファイルＦＣ３１  を選択指定すると、この選択指定された幹線ファイルＦＣ３１  の名称が反転表示されると共に、この幹線ファイルＦＣ３１  に含まれる定時データ収集対象ポイントＰＡや非定時データ収集対象ポイントＰＢのリスト（系統外リスト）ＬＳＴ２がリスト表示部Ｓ１ｈに表示される。この系統外リストＬＳＴ２の中から所望のデータ収集対象ポイントを選択し（収集対象にチェックを入れる）、追加ボタンＢＴ４をクリックする。
【００６８】
すると、系統外リストＬＳＴ２において選択した所望のデータ収集対象ポイントがリスト表示部Ｓ１ｆのデータ収集対象リストＬＳＴ１に追加される。この例では、現在までの収集パターンに登録されているデータ収集対象ポイントの最後尾の後ろに、系統外のデータ収集対象ポイントとして追加されて行く。データ収集対象リストＬＳＴ１に追加された系統外のデータ収集対象ポイントは、図５に示した収集系統表示エリアＳ１ｅ中に系統外ファイルＦＯとして組み込まれる。
【００６９】
〔収集スケジュールの登録〕
検査員は、収集パターンの登録を終えると、登録した各収集パターンに対してデータ収集期間の設定（収集スケジュールの登録）を行う。以下では、収集パターンとして、５つの収集パターン▲１▼〜▲５▼が登録されているものとする。
【００７０】
収集スケジュールの登録を行う場合、検査員は、データ収集設定画面Ｇ１において、収集スケジュール登録シートＳ２を選択し表示させる（図８参照）。そして、この収集スケジュール登録シートＳ２におけるデータ収集予約ボタンＢＴ５をクリックする。すると、ＣＰＵ５−１は、データ収集設定画面Ｇ１に収集予約ウインドウＷ１を表示する。収集予約ウインドウＷ１には、「収集パターン」、「開始時点（開始する年月日）」、「終了時点（終了する年月日）」を入力項目とする収集予約リストＬＳＴ３が表示される。
【００７１】
検査員は、この表示される収集予約リストＬＳＴ３に、収集パターンのパターン番号と、その収集パターンに対するデータ収集期間（開始時点および終了時点）を設定して行く。この例では、収集パターン▲１▼，▲２▼，▲３▼，▲４▼，▲５▼の順で相互に重なることなくデータ収集が行われるように、データ収集期間を設定して行く。検査員は、収集予約リストＬＳＴ３への設定を終えると、ＯＫボタンＢＴ６をクリックする。これにより、収集予約ウインドウＷ１が画面から消え、収集スケジュール登録シートＳ２において、収集予約ウインドウＷ１での設定内容をシステムに記憶させることにより、収集スケジュールの登録が完了する。
【００７２】
〔データ収集〕
検査員は、上述のようにして収集パターンの登録および収集スケジュールの登録を行った後、ＣＰＵ５−１に対してデータの収集開始を指示する。これにより、ＣＰＵ５−１は、ＲＯＭ５−３に格納されているデータ収集プログラムに従ってデータの収集を行う。
【００７３】
ＣＰＵ５−１は、このデータの収集に際し、検査員によって登録された収集スケジュールを利用する。すなわち、ＣＰＵ５−１は、収集パターン▲１▼に対して設定されているデータ収集期間に入ると、そのデータ収集期間内の収集パターン▲１▼として登録されている定時データ収集対象ポイントＰＡおよび非定時データ収集対象ポイントＰＢのデータの収集を開始する。収集パターン▲２▼に対して設定されているデータ収集期間に入ると、そのデータ収集期間内の収集パターン▲２▼として登録されている定時データ収集対象ポイントＰＡおよび非定時データ収集対象ポイントＰＢのデータの収集を開始する。
【００７４】
以下同様にして、ＣＰＵ５−１は、収集パターン▲３▼，▲４▼，▲５▼に対して設定されているデータ収集期間に入る毎に、そのデータ収集期間内の収集パターンとして登録されている定時データ収集対象ポイントＰＡおよび非定時データ収集対象ポイントＰＢのデータの収集を開始する。収集したデータはメモリ５−１０に蓄積する。
【００７５】
なお、上述した実施の形態１，２においては、系統を１階〜Ｎ階、確認項目を空調制御の性能検証とした場合を例にとって説明したが、系統をテナントとしたり、確認項目を熱源制御の性能検証としたり、電力や水道，ガスの使用量の確認、としたりしてもよい。例えば、テナントを系統にすると、そのテナントが複数階を使用していた場合、それら複数階がそのテナントの系統とされる。
【００７６】
【発明の効果】
以上説明したことから明らかなように、第１発明によれば、データ収集すべきデータ収集対象ポイントの属性の指定に応じ、記憶されているデータ収集対象ポイントの中から関連するデータ収集対象ポイントが自動的に取り出され、この取り出されたデータ収集対象ポイントがリストアップされるので、データ収集対象ポイントの登録作業を１つずつ手作業で行う必要がなくなり、空調制御の性能検証や電力，水道，ガスなどの使用量の確認など、設備における確認事項毎のデータ収集対象ポイントの登録作業を簡単に行うことができるようになる。
【００７７】
また、第２発明によれば、データ収集すべきデータ収集対象ポイントの属性の指定に応じ、記憶されているデータ収集対象ポイントの中から関連するデータ収集対象ポイントが自動的に取り出され、この取り出されたデータ収集対象ポイントをまとめた系統ファイルが作成され、この作成された系統ファイルを必要に応じて表示させることにより、この表示される系統ファイルより所望の系統ファイルを選択しての指定操作に応じ、その選択指定された系統ファイル内のデータ収集対象ポイントをリストアップさせることができるので、上述した第１発明の効果に加えて、一度系統ファイルを作成すると、次からは系統や確認項目、詳細事項の選択指定を行わなくてもよくなり、データ収集対象ポイントの登録作業をさらに簡単に行うことができるようになる。
【図面の簡単な説明】
【図１】本発明に係るデータ収集装置の一実施の形態の要部構成を示すブロック図である。
【図２】このデータ収集装置を用いた性能検証システムのシステム構成図である。
【図３】このデータ収集装置におけるデータ収集設定プログラムに従うＣＰＵの処理動作（収集パターンの登録動作）を説明するためのフローチャートである。
【図４】このデータ収集装置におけるデータ収集設定プログラムに従うＣＰＵの処理動作（系統ファイルの作成動作）を説明するためのフローチャートである。
【図５】このデータ収集装置のディスプレイに表示されるデータ収集設定画面を示す図（収集パターン▲１▼の登録を説明する図）である。
【図６】データ収集設定画面での収集パターン▲２▼の登録を説明する図である。
【図７】データ収集設定画面での収集パターンへのデータ収集対象ポイントの追加を説明する図である。
【図８】データ収集設定画面において収集スケジュール登録シートを選択し収集予約ウインドウを表示させた状態を示す図である。
【図９】大規模設備に設けられる監視システムの概略を示す図である。
【図１０】この監視システムの仕組みを利用した性能検証支援システムの概略を示す図である。
【符号の説明】
１−１〜１−ｍ…コントローラ、２…ＬＡＮ、３…中央監視装置、４，５…データ収集装置（パソコン）、ＰＡ…定時データ収集対象ポイント、ＰＢ…非定時データ収集対象ポイント、５−１…ＣＰＵ、５−２…ＲＡＭ、５−３…ＲＯＭ、５−４〜５−６…インターフェイス、５−７…ディスプレイ、５−８…キーボード、５−９…マウス、５−１０…収集データ記憶用のメモリ、５−１１…データ収集対象ポイント記憶用のメモリ、Ｇ１…データ収集設定画面、Ｓ１…収集パターン登録シート、Ｓ２…収集スケジュール登録シート、Ｓ１ａ…系統ファイル表示ウインドウ、Ｓ１ｂ…幹線ファイル表示ウインドウ、Ｓ１ｃ…パターンナンバ選択部、Ｓ１ｄ…ＤＤＣ収集周期選択部、Ｓ１ｅ…収集系統表示エリア、Ｓ１ｆ…リスト表示部、Ｓ１ｇ…データ数表示部、Ｓ１ｈ…リスト表示部、ＡＦ…空調系統ファイル、ＮＦ…熱源系統ファイル、ＣＦ…共通ファイル、ＡＦ１〜ＡＦｎ…１階〜ｎ階の空調系統ファイル、ＦＯ…系統外ファイル、ＦＣ１〜ＦＣｎ…コントローラに対応する幹線ファイル、ＦＣ３１  〜ＦＣ３６  …サブコントローラに対応する幹線ファイル、Ｗ１…収集予約ウインドウ、ＬＳＴ１…データ収集対象リスト、ＬＳＴ２…系統外リスト、ＬＳＴ３…収集予約リスト。
【図１】
2004213336.tif 000003
【図２】
2004213336.tif 000004
【図３】
2004213336.tif 000005
【図４】
2004213336.tif 000006
【図５】
2004213336.tif 000007
【図６】
2004213336.tif 000008
【図７】
2004213336.tif 000009
【図８】
2004213336.tif 000010
【図９】
2004213336.tif 000011
【図１０】
2004213336.tif 000012